(57)【特許請求の範囲】
【請求項１】
前側に画面を有する液晶表示部の前側周縁部及び周側部を覆う矩形枠状のフロントキャビネット並びに該液晶表示部及びフロントキャビネットを固定する固定具を備え、
前記液晶表示部の周側部と対向する前記フロントキャビネットの内面に、該フロントキャビネットの周方向に沿ってリブが設けられており、
前記リブに掛合するスリット状の切り欠きが前記固定具に開設されている液晶表示装置において、
前記固定具の位置ずれを防止する防止部を備え、
前記固定具は、
アングル状をなし、
一側面部として前記フロントキャビネットの内面に当接し、かつ前記切り欠きが開設された当接部を有し、
前記防止部は前記切り欠きの開放側における辺縁部分が前記フロントキャビネットに接近する方向に反っている前記当接部である
ことを特徴とする液晶表示装置。
【請求項２】
前記液晶表示部の後側周縁部にボスが立設されており、
前記固定具は他側面部として前記液晶表示部の後側周縁部を被覆する被覆部を有し、
前記防止部は前記フロントキャビネットの周方向における前記被覆部の端部にて前記液晶表示部の後側に向かって設けられた突起である
ことを特徴とする請求項１に記載の液晶表示装置。
【請求項３】
前記切り欠きの幅は該切り欠きの開放側に向かって広くなっている
ことを特徴とする請求項１又は請求項２に記載の液晶表示装置。
【請求項４】
前記被覆部に、該被覆部を前記液晶表示部に固定するための貫通穴が設けられており、
前記ボスは前記貫通穴と対応する位置に立設されている
ことを特徴とする請求項２に記載の液晶表示装置。
【発明の詳細な説明】
【技術分野】
【０００１】
本願は、構成部材を固定する固定具を備える液晶表示装置に関する。
【背景技術】
【０００２】
液晶表示装置の組み立て作業簡素化のため、短寸アングル状の固定具を用いて液晶表示装置のフロントキャビネットと、液晶パネルモジュールとを固定する方法が採用されている（例えば、特許文献１）。その際、液晶パネルモジュールの周側部と対向するフロントキャビネットの内面に、フロントキャビネットの周方向に沿ってリブを設け、固定具の一側面部に当該リブに掛合するスリット状の切り欠きを設ける。固定具をリブの延在方向にスライド移動することにより、固定具の切り欠きはフロントキャビネットのリブに掛合する。固定具の他側面部は、液晶パネルモジュールの後側周縁部にあてがわれる。
【先行技術文献】
【特許文献】
【０００３】
【特許文献１】特開２００９−５８９１５号公報
【発明の概要】
【発明が解決しようとする課題】
【０００４】
固定具は、切り欠きとリブとの掛合によりフロントキャビネットに取り付けられている。そのため、フロントキャビネットに固定具を取り付けた状態で、不用意に固定具に触れた場合、固定具が位置ずれを起こし、作業効率の低下を招く。
【０００５】
本願は、かかる事情に鑑みてなされたものである。その目的は、フロントキャビネットに掛合する固定具の位置ずれを防止することができる液晶表示装置を提供することにある。
【課題を解決するための手段】
【０００６】
本願に係る液晶表示装置は、前側に画面を有する液晶表示部の前側周縁部及び周側部を覆う矩形枠状のフロントキャビネット並びに該液晶表示部及びフロントキャビネットを固定する固定具を備え、前記液晶表示部の周側部と対向する前記フロントキャビネットの内面に、該フロントキャビネットの周方向に沿ってリブが設けられており、前記リブに掛合するスリット状の切り欠きが前記固定具に開設されている液晶表示装置において、前記固定具の位置ずれを防止する防止部を備え、前記固定具は、アングル状をなし、一側面部として前記フロントキャビネットの内面に当接し、かつ前記切り欠きが開設された当接部を有し、前記防止部は前記切り欠きの開放側における辺縁部分が前記フロントキャビネットに接近する方向に反っている前記当接部であることを特徴とする。
【０００７】
本願に係る液晶表示装置では、矩形枠状のフロントキャビネットと、フロントキャビネットに覆われる液晶表示部と、フロントキャビネット及び液晶表示部を固定する固定具とを備えている。液晶表示部の周側部と対向するフロントキャビネットの内面には、フロントキャビネットの周方向に沿ってリブが設けられている。固定具には、フロントキャビネットのリブに掛合するスリット状の切り込みが設けられている。液晶表示装置は、フロントキャビネットに取り付けられた固定具の位置ずれを防止する防止部を備えている。
これにより、フロントキャビネットに取り付けられた固定具に外部から力が作用しても、固定具の位置はずれない。
本願に係る液晶表示装置では、固定具はアングル状をなしている。固定具は一側面部としてフロントキャビネットの内面に当接し、かつ切り込みが開設された当接部を有している。固定具の位置ずれを防ぐ防止部は、切り欠きの開放側における辺縁部分がフロントキャビネットに接近する方向に反った当接部である。
これにより、当接部がフロントキャビネットと液晶表示部との隙間に入れられた場合、当接部の弾性力により固定具はフロントキャビネットと液晶表示部とから付勢され、外部から力が作用しても位置ずれしない。
【００１０】
本願に係る液晶表示装置は、前記液晶表示部の後側周縁部にボスが立設されており、前記固定具は他側面部として前記液晶表示部の後側周縁部を被覆する被覆部を有し、前記防止部は前記フロントキャビネットの周方向における前記被覆部の端部にて前記液晶表示部の後側に向かって設けられた突起であることを特徴とする。
【００１１】
本願に係る液晶表示装置では、液晶表示部の後側周縁部にボスが立設されている。固定部は他側面部として液晶表示部の後側周縁部を被覆する被覆部を有している。防止部はフロントキャビネットの周方向における被覆部の端部に設けられた突起である。突起は液晶表示装置の後側に向かって設けられている。
これにより、固定具は移動したとしても突起がボスに当接することで、大幅な位置ずれを起こさない。
【００１２】
本願に係る液晶表示装置は、前記切り欠きの幅は該切り欠きの開放側に向かって広くなっていることを特徴とする。
【００１３】
本願に係る液晶表示装置では、固定具に開設された切り欠きの幅は、開放側へ向かって広くなっている。これにより、切り欠きにリブを掛合する場合、切り欠きの開放側が拾い込みの機能を有することができる。
【００１４】
本願に係る液晶表示装置は、前記被覆部に、該被覆部を前記液晶表示部に固定するための貫通穴が設けられており、前記ボスは前記貫通穴と対応する位置に立設されていることを特徴とする。
【００１５】
本願に係る液晶表示装置では、被覆部には、被覆部を液晶表示部に固定するための貫通穴が設けられている。液晶表示部のボスは、取り付けられた固定具の貫通穴と対応する位置に突設されている。
これにより、固定具は貫通穴を挿通するねじがボスに螺合することにより液晶表示部に固定される。
【００１６】
本願に係る液晶表示装置は、前記固定具は、短寸アングル状をなし、一側面部として前記フロントキャビネットの内面に当接し、かつ前記切り欠きが開設された当接部を有し、該当接部に、該当接部を前記フロントキャビネットに固定するための穴部が設けられており、前記リブは、先端部に設けられ、前記当接部を係止可能な係止部と前記当接部と対向する前記係止部の部分に設けられた突部とを有し、前記防止部は嵌合する前記穴部及び突部であることを特徴とする。
【００１７】
本願に係る液晶表示装置では、固定具は短寸アングル状をなしている。固定具は一側面部としてフロントキャビネットの内面に当接し、かつ切り込みが開設された当接部を有している。当接部には、当接部をフロントキャビネットに固定するための穴部が設けられている。リブの先端部には当接部を係止することができる係止部が設けられ、当接部と対向する係止部の部分には突部が設けられている。固定具の位置ずれを防ぐ防止部は、嵌合する穴部と突部である。
これにより、突部と穴部とが嵌合することにより、固定具はフロントキャビネットに固定され、位置ずれしない。また、突部と穴部との嵌合時に発せられる音により、作業者は固定具がフロントキャビネットに取り付けられたことを確認することができる。
【００１８】
本願に係る液晶表示装置は、前記穴部は、前記切り欠きの幅よりも大きな径を有し、前記切り欠きの奥端部に該切り欠きと重畳するように設けられていることを特徴とする。
【００１９】
本願に係る液晶表示装置では、穴部は切り欠きの幅よりも大きな径を有している。穴部は、切り欠きの奥端部に切り欠きと重畳するように設けられている。
これにより、切り欠きと穴部とは、一度に形成することができる。
【００２０】
本願に係る液晶表示装置は、前記ボスはカシメボスであることを特徴とする。
【００２１】
本願に係る液晶表示装置では、ボスはカシメボスである。
【００２２】
本願に係る液晶表示装置は、前記固定具は金属製であることを特徴とする。
【００２３】
本願に係る液晶表示装置では、固定具は金属製である。
これにより、固定具の強度と、フロントキャビネット及び液晶表示部の結合度が担保される。
【００２４】
本願に係るテレビジョン受信機は、上記に記載の液晶表示装置と、テレビジョン放送を受信する受信部とを備え、前記液晶表示部は前記受信部が受信したテレビジョン放送に係る画像を表示するようにしてあることを特徴とする。
【００２５】
本願に係るテレビジョン受信機では、上記の液晶表示装置と、テレビジョン放送を受信する受信部とを備えている。液晶表示部の画面は、受信したテレビジョン放送に係る画像を表示する。
【発明の効果】
【００２６】
本願に係る一観点によれば、フロントキャビネットに掛合する固定具の位置ずれを防止することができる。
【図面の簡単な説明】
【００２７】
【図１】テレビジョン受信機を正面側からみた斜視図である。
【図２】テレビジョン受信機上部の部分的な側断面図である。
【図３】バックキャビネットを取り除いた状態におけるテレビジョン受信機の背面図である。
【図４】アングルの斜視図である。
【図５】当接部の法線方向から見たアングルの説明図である。
【図６】被覆部の法線方向から見たアングルの説明図である。
【図７】アングルをフロントキャビネット及び液晶パネルモジュールに取り付ける前の状態を示す説明図である。
【図８】アングルをフロントキャビネット及び液晶パネルモジュールに取り付けている途中段階を示す説明図である。
【図９】リブの斜視図である。
【図１０】アングルの斜視図である。
【図１１】リブの斜視図である。
【図１２】アングルの斜視図である。
【発明を実施するための形態】
【００２８】
本願に係る一実施例の液晶表示装置は、テレビジョン受信機、電子黒板、チューナに接続して使用されるモニタ、デスクトップ型コンピュータに接続して使用されるモニタ及びデジタルサイネージに利用されるディスプレイを含む。また、本願に係る一実施例の液晶表示装置は、タブレット型コンピュータ、ＰＤＡ（Personal Digital Assistant）及び携帯電話に利用されるディスプレイを含む。以下では、液晶表示装置の一例として、テレビジョン受信機を実施するための形態に関する図面に基づいて説明する。
【００２９】
実施の形態１
図１は、テレビジョン受信機１０を正面側からみた斜視図である。ここで、起立姿勢のテレビジョン受信機１０が画像を表示する画面２１に対して視聴者が正対した場合、画面２１から視聴者側を前側又は正面側、その反対を後側又は背面側とする。画面２１は、横長の矩形状をなす。視聴者から画面２１に向かって、画面２１の長辺方向右側をテレビジョン受信機１０の右側、画面２１の長辺方向左側をテレビジョン受信機１０の左側とする。画面２１の短辺方向上側をテレビジョン受信機１０の上側、画面２１の短辺方向下側をテレビジョン受信機１０の下側とする。
【００３０】
テレビジョン受信機１０は、液晶パネルモジュール（液晶表示部）２０、フロントキャビネット３０、バックキャビネット４０、スタンド１０Ｓ及びチューナ（受信部）１０Ｔを含む。
液晶パネルモジュール２０は、ハイビジョン４倍の解像度を有する液晶パネル、光学シート、直下型のバックライト、反射シート等が機能的にまとまった表示部品である。液晶パネルは前側に画面２１を有し、後方のバックライトから光の照射を受けて、画面２１にテレビジョン画像を表示する。
【００３１】
フロントキャビネット３０は、テレビジョン受信機１０の前側及び周側面を構成する筐体の一部である。フロントキャビネット３０は、アルミニウム、合成樹脂等からなり、液晶パネルモジュール２０の前側周縁部及び周側部を覆う枠体でもある。
バックキャビネット４０は、テレビジョン受信機１０の後側を構成する筐体の一部である。バックキャビネット４０は、例えば合成樹脂からなり、後側に突出した概ね矩形の皿状をなす。
【００３２】
スタンド１０Ｓは、テレビジョン受信機１０を床に対して起立姿勢に支持する台である。スタンド１０Ｓの側方視形状は、緩やかに湾曲した裾野を有する山形形状である。スタンド１０Ｓの立体形状は、同一の側断面視形状で左右方向に延びた形状である。床と接するスタンド１０Ｓの基部は矩形状をなし、その横幅はフロントキャビネット３０及びバックキャビネット４０の横幅と略同一であり、その前後幅はフロントキャビネット３０及びバックキャビネット４０の前後幅より広い。テレビジョン受信機１０は、取付金具を用いて室内の壁に設置することもでき、その際スタンド１０Ｓは、テレビジョン受信機１０から取り外される。
【００３３】
チューナ１０Ｔは、テレビジョン放送に関する信号を選択して受信し、受信した信号を中間周波に変換して出力する同調装置である。
【００３４】
図２は、テレビジョン受信機１０上部の部分的な側断面図である。図２の右側はテレビジョン受信機１０の前側を、図２の左側はテレビジョン受信機１０の後側に対応する。
フロントキャビネット３０は、側断面視Ｌ字状の枠体であり、前面部３１及び側面部３２を含む。前面部３１は、液晶パネルモジュール２０の前側周縁部を覆っている。側面部３２は、液晶パネルモジュール２０の周側部を覆っている。側面部３２における内面の略中央に、フロントキャビネット３０の周方向に沿って複数のリブ３２１が立設されている。
【００３５】
テレビジョン受信機１０の液晶パネルモジュール２０とフロントキャビネット３０とは、短寸アングル状の固定金具で固定される。以下、当該固定金具をアングル（固定具）５０と呼ぶ。アングル５０は、当接部（防止部）５１及び被覆部５２を含む。
当接部５１は、フロントキャビネット３０の側面部３２の内面に当接するアングル５０の一側面部である。
【００３６】
被覆部５２は、液晶パネルモジュール２０の後側周縁部を離間状態で被覆するアングル５０の他側面部である。被覆部５２には、ねじ６０が挿通可能な貫通穴５２１が設けられている。液晶パネルモジュール２０の後側周縁部から立設されたカシメボス（ボス）２２にねじ６０が螺合することにより、被覆部５２は液晶パネルモジュール２０に固定されている。
【００３７】
液晶パネルモジュール２０の後面には、ボス２３が設けられている。ボス２３に対応するバックキャビネット４０の部分に、前側に窪んだ窪みが形成されている。窪みの底部には、ねじ７０が挿通するねじ穴が設けられている。バックキャビネット４０は、後側からねじ７０がねじ穴を挿通し、ボス２３に螺合することにより、液晶パネルモジュール２０に固定されている。
【００３８】
図３は、バックキャビネット４０及びスタンド１０Ｓを取り除いた状態におけるテレビジョン受信機１０の背面図である。フロントキャビネット３０と液晶パネルモジュール２０とは、例えば１３個のアングル５０を用いて固定されている。図３の例では、フロントキャビネット３０及び液晶パネルモジュール２０の上辺に沿って５個のアングル５０が略等間隔で配置されている。また、図３の例では、フロントキャビネット３０並びに液晶パネルモジュール２０の左辺及び右辺に沿って夫々４個のアングル５０が略等間隔で配置されている。図３の例では、テレビジョン受信機１０の底部に配置される部品（例えば、スピーカ１０ＳＫ）が少なくないために、フロントキャビネット３０及び液晶パネルモジュール２０の下辺にアングル５０は配置されていない。
なお、特段の事情がない限り、アングル５０は、フロントキャビネット３０及び液晶パネルモジュール２０の４辺のうち、任意の１辺、２辺、３辺又は４辺に設置されてもよい。
【００３９】
図４は、アングル５０の斜視図である。当接部５１及び被覆部５２は、共に矩形状をなす板である。当接部５１及び被覆部５２は、略直角に交わっている。アングル５０は、当接部５１がフロントキャビネット３０の側面部３２に当接し、被覆部５２が液晶パネルモジュール２０の後側周縁部を被覆するように、フロントキャビネット３０及び液晶パネルモジュール２０に取り付けられる。
【００４０】
当接部５１には、フロントキャビネット３０のリブ３２１に掛合するスリット状の切り欠き５１１が開設されている。当接部５１は、切り欠き５１１がリブ３２１に掛合することで、フロントキャビネット３０の側面部３２に固定される。切り欠き５１１をリブ３２１に掛合する場合、アングル５０はフロントキャビネット３０の周方向（図２の紙面に対する法線方向）にスライドされる。
【００４１】
切り欠き５１１の開放端を介して対向する当接部５１縁辺の両角部は、切り欠き５１１の延在方向（フロントキャビネット３０の周方向と略同一）に対して約４５度の角度で面取りが施されている。そのため、切り欠き５１１の幅は開放側に向かって広くなっている。これにより、アングル５０をフロントキャビネット３０に取り付けるために、切り込み５１１をリブ３２１に掛合させるべく、アングル５０をフロントキャビネット３０の周方向にスライドさせるとき、切り欠き５１１はリブ３２１を拾い込み易い。
なお、当接部５１縁辺の一角部のみが切り落とされてもよい。また、当接部５１縁辺の角部の切り落とし角度は４５度に限らない。更に、当接部５１縁辺の角部に丸味を帯びた面取りが施されてもよい。
【００４２】
アングル５０をスライドさせて、切り込み５１１の奥端にリブ３２１の端部を当接させた場合、アングル５０はそれ以上スライドさせることができない位置まで移動する。この位置にアングル５０を移動した場合、貫通穴５２１はカシメボス２２の上方に位置するように位置決めされている。
【００４３】
アングル５０がスライドされる方向の被覆部５２の両端部には、夫々１つずつ突起（防止部）５２２が設けられている。突起５２２は、アングル５０をフロントキャビネット３０及び液晶パネルモジュール２０に取り付けた場合、液晶パネルモジュール２０の後側面に向かって突設されている。突起５２２の突設方向は、カシメボス２２の突設方向とも略同一でもある。
【００４４】
図４のアングル５０における突起５２２は、スライドされる方向の被覆部５２の両端部から延出する突起を内側にかつ略直角方向に折曲することにより形成されている。換言した場合、フロントキャビネット３０及び液晶パネルモジュール２０に取り付けられたアングル５０において、突起５２２はテレビジョン受信機１０の前側へ折曲されている。
なお、突起５２２は、折り曲げ以外の方法でアングル５０に形成されてもよい。例えば圧着、溶接又は接着剤を用いた接着により、突起５２２はアングル５０に設けられていてもよい。
【００４５】
図５は、当接部５１の法線方向から見たアングル５０の説明図である。図５において、被覆部５２及び突起５２２は、当接部５１に対して紙面の奥側へ倒立した状態で示されている。
図６は、被覆部５２の法線方向から見たアングル５０の説明図である。図６において、当接部５１及び突起５２２は、被覆部５２に対して紙面の手前側へ倒立した状態で示されている。
【００４６】
当接部５１の外面における角部の４箇所に、薄い円板突部５１２が設けられている。アングル５０をフロントキャビネット３０に対してスライドさせた場合、円板突部５１２がリブ３２１両脇における側面部３２の内面を摺動し、切り込み５１１はリブ３２１に掛合する。
【００４７】
当接部５１は、反り部５１３を含む。反り部５１３は、切り欠き５１１よりも突起５２２が突出している方向側の当接部５１の部分であって、かつ切り欠き５１１の開放側の部分である。反り部５１３は、アングル５０がフロントキャビネット３０に取り付けられた場合、当接部５１の略中央付近で、当接部５１の面内方向からフロントキャビネット３０に接近する方向に例えば６度反っている。ここでのフロントキャビネット３０に接近する方向とは、テレビジョン受信機１０の外側方向と同一である。
【００４８】
次に、テレビジョン受信機１０の組み立て方法について説明する。
フロントキャビネット３０の後側を上方へ向けて、フロントキャビネット３０を略水平な台の上に載置する。液晶パネルモジュール２０の後側を上方に向けて、液晶パネルモジュール２０をフロントキャビネット３０の所定位置上に載置する。
【００４９】
図７は、アングル５０をフロントキャビネット３０及び液晶パネルモジュール２０に取り付ける前の状態を示す説明図である。図７における矢印は、アングル５０の移動方向を示している。
図８は、アングル５０をフロントキャビネット３０及び液晶パネルモジュール２０に取り付けている途中段階を示す説明図である。図８における矢印は、ねじ６０の移動方向を示している。
【００５０】
アングル５０の当接面５１がフロントキャビネット３０の側面部３２と略平行となり、かつ被覆部５２が液晶パネルモジュール２０の後面と略平行となるように、アングル５０の姿勢を調整する。フロントキャビネット３０の側面部３２と液晶パネルモジュール２０との隙間に、上方からアングル５０の当接部５１を挿入する。その際、突起５２２の間の被覆部５２とカシメボス２２とが対向する位置にアングル５０を配置する。テレビジョン受信機１０の組み立てに必要なアングル５０の数だけ、上述のようにして、フロントキャビネット３０及び液晶パネルモジュール２０の周縁にアングル５０を配置しておく。
【００５１】
次に、当接部５１の切り込み５１１に側面部３２内側のリブ３２１を拾い込むべく、フロントキャビネット３０の周方向にアングル５０のスライドを開始する。そして、貫通穴５２１がカシメボス２２と重畳する固定位置まで、アングル５０をスライドさせる。このとき、当接部５１は、反り部５１３がフロントキャビネット３０の側面部３２に接触し、反り部５１３以外の部分が液晶パネルモジュール２０に接触する。そのため、反り部５１３は弾性変形に伴う復元力によりフロントキャビネット３０の側面部３２を押し返す。同様に、反り部５１３以外の部分も弾性変形に伴う復元力により液晶パネルモジュール２０を押し返す。結果として、フロントキャビネット３０の側面部３２と液晶パネルモジュール２０との隙間に挿入されたアングル５０は、フロントキャビネット３０及び液晶パネルモジュール２０から付勢されるような力を受ける。従って、固定位置までスライドされたアングル５０は、組み立て作業者により不用意に押圧されても容易には移動しない。
【００５２】
仮に、固定位置までスライドされたアングル５０に大きな力が作用して、スライドされた方向と逆方向にアングル５０が固定位置から移動したとする。かかる場合、突起５２２の内面がカシメボス２２に当接するため、アングル５０は固定位置から大幅にずれることはない。
【００５３】
なお、カシメボス２２及び貫通穴５２１は、嵌合するように構成されていてもよい。アングル５０が固定位置までスライド移動された場合、カシメボス２２の先端が貫通穴５２１に嵌合することにより、カシメボス２２は固定位置からのアングル５０の移動を阻止することができる。
【００５４】
フロントキャビネット３０及び液晶パネルモジュール２０の周縁に配置したアングル５０の数だけ、アングル５０を固定位置までスライド移動する。全てのアングル５０のスライド移動が終了した場合、アングル５０毎に、ねじ６０を上方から貫通穴５２１に挿通し、挿通したねじ６０をカシメボス２２のねじ穴に螺合させる。
【００５５】
液晶パネルモジュール２０の後面に、チューナ１０Ｔが搭載された基板等を設置する。バックキャビネット４０を上方からフロントキャビネット３０及び液晶パネルモジュール２０の後側に載置する（図２参照）。ねじ７０を液晶パネルモジュール２０に設けたボス２３のねじ穴に螺合し、バックキャビネット４０及び液晶モジュール２０を固定する。これで、テレビジョン受信機１０の組み立て作業が終了する。
【００５６】
なお、フロントキャビネット３０を例えば押出成型により形成する場合、リブ３２１に該当する当初の部分は、レール状の形状として形成される。その後、レール状の部分の一箇所又は複数箇所を例えば切削することにより、リブ３２１は形成される。
【００５７】
テレビジョン受信機１０によれば、フロントキャビネット３０と液晶パネルモジュール２０とを固定するアングル５０の位置ずれを防止することができる。
フロントキャビネット３０にアングル５０を取り付けた状態で、不用意にアングル５０に触れた場合、アングル５０はねじ６０で固定する位置からずれてしまう。しかし、当接部５１は反り部５１３を有しているため、液晶パネルモジュール２０及びフロントキャビネット３０から付勢され、外部から力が作用しても容易には位置ずれを起こさない。これにより、テレビジョン受信機１０の組み立て作業効率の低下を抑制する効果がある。また、固定位置からアングル５０が移動したとしても、アングル５０の移動は突起５２２とカシメボス２２との当接により規制されるため、アングル５０は固定位置から大きくずれることはない。
【００５８】
実施の形態２
実施の形態２は、フロントキャビネット３０に設けた突部（防止部）と、アングル５０に設けた穴部（防止部）とが嵌合することにより、アングル５０の位置ずれを防止する形態に関する。
【００５９】
図９は、リブ３２１の斜視図である。リブ３２１の先端部には、矩形板状の係止部３２２が接合されている。係止部３２２の大きさはアングル５０の切り欠き５１１の大きさより大きく、係止部３２２はテレビジョン受信機１０の内側へ移動するアングル５０を係止することができる。アングル５０の切り欠き５１１がリブ３２１に掛合した場合、アングル５０と対向する係止部３２２の外側面に、半球状の突部（防止部）３２３が設けられている。突部３２３が設けられている係止部３２２の領域は、アングル５０がスライドされる方向側であって、当該方向へのリブ３２１の延長領域よりも外側の領域である。
【００６０】
図１０は、アングル５０の斜視図である。アングル５０をスライドさせて切り欠き５１１にリブ３２１を掛合した場合、アングル５０の当接面５１には、図９の突部３２３が嵌合可能な穴部５１４が設けられている。穴部５１４は、貫通穴でもよいし、貫通していない凹部でもよい。図１０の例では、穴部５１４は、貫通穴として描かれている。突部３２３が穴部５１４に嵌合した場合、アングル５０はフロントキャビネット３０に対して確実に固定され、位置ずれも起こらない。また、突部３２３及び穴部５１４は、アングル５０をスライドさせて切り欠き５１１にリブ３２１を掛合した場合、突部３２３及び穴部５１４が嵌合するときに、例えば「カチッ」という音が発生するように構成されている。これにより、テレビジョン受信機１０の組み立て作業者は、アングル５０がフロントキャビネット３０に確実に取り付けられたことを確認することができる。
【００６１】
アングル５０の被覆部５２には、ねじ挿通穴５２３が設けられている。後側からねじ６０をねじ挿通穴５２３に挿通し、挿通したねじ６０をその前側に設けられた液晶パネルモジュール２０のカシメボス２２に螺合する。これにより、アングル５０は、液晶パネルモジュール２０に固定される。
【００６２】
なお、ねじ挿通穴５２３とカシメボス２２とを用いて、ねじ６０によりバックライトシャーシ４０、アングル５０及び液晶パネルモジュール２０の三者を固定してもよい。
あるいは、ねじ挿通穴５２３周囲の被覆部５２を例えば絞り加工により後側へ突出させ、ねじ挿通穴５２３の位置にねじ切りが施されたバーリングタップ穴を設けてもよい。これにより、バックライトシャーシ４０及びアングル５０をねじ止めしてもよい。
【００６３】
図１１は、リブ３２１の斜視図である。
図１２は、アングル５０の斜視図である。
図１１及び図１２は、実施の形態２における係止部３２２及びアングル５０の他例を示している。
リブ３２１の先端部には、リブ３２１の延在方向に延びた細長い矩形板状の係止部３２２が接合されている。係止部３２２の大きさはアングル５０の切り欠き５１１の大きさより大きく、係止部３２２はテレビジョン受信機１０の内側へ移動するアングル５０を係止することができる。アングル５０の切り欠き５１１がリブ３２１に掛合した場合、アングル５０と対向する係止部３２２の外側面に、半球状の突部３２３が設けられている。突部３２３は、アングル５０がスライドされる方向と反対側の係止部３２２の端部に設けられている。
【００６４】
当接部５１における穴部５１４の径は、切り欠き５１１の幅よりも広い。穴部５１４は、切り欠き５１１の奥端部に切り欠き５１１と重畳するように設けられた貫通穴である。アングル５０をスライドさせて、切り込み５１１にリブ３２１を掛合した場合、例えば「カチッ」という音を発して、突部３２３が穴部５１４に嵌合する。これにより、テレビジョン受信機１０の組み立て作業者は、アングル５０をフロントキャビネット３０に対して位置ずれしないように固定し、かつ当該固定を確認することができる。
【００６５】
テレビジョン受信機１０によれば、フロントキャビネット３０と液晶パネルモジュール２０とを固定するアングル５０の位置ずれを防止することができる。
スライド移動によりアングル５０の切れ込み５１１にリブ３２１を掛合した場合、リブ３２１の先端部に設けられた係止部３２２の突部３２３が音を発して当接部５１に設けられた穴部５１４に嵌合する。また、アングル５０の被覆部５２は、係止部３２２に係止され、テレビジョン受信機１０の内側方向へのアングル５０の移動が規制される。これにより、アングル５０の位置ずれが防止されるとともに、テレビジョン受信機１０の組み立て作業者は、アングル５０がフロントキャビネット３０に固定されたことを音で確認することができる。
【００６６】
実施の形態２は以上の如きであり、その他は実施の形態１と同様であるので、対応する部分には同一の参照番号を付してその詳細な説明を省略する。
【００６７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【００６８】
また、各実施の形態で記載されている技術的特徴（構成要件）はお互いに組合せ可能であり、組み合わせすることにより、新しい技術的特徴を形成することができる。
【符号の説明】
【００６９】
１０    テレビジョン受信機
２０    液晶パネルモジュール（液晶表示部）
２１    画面
２２    カシメボス（ボス）
２３    ボス
３０    フロントキャビネット
３１    前面部
３２    側面部
３２１  リブ
３２２  係止部
３２３  突部（防止部）
４０    バックキャビネット
５０    アングル（固定具）
５１    当接部（防止部）
５１１  切り欠き
５１３  反り部
５１４  穴部（防止部）
５２    被覆部
５２１  貫通穴
５２２  突起（防止部）
５２３  ねじ挿通穴
６０    ねじ
７０    ねじ
１０Ｓ  スタンド
１０Ｔ  チューナ（受信部）
【要約】
【課題】フロントキャビネットに掛合する固定具の位置ずれを防止することができる液晶表示装置を提供する。
【解決手段】前側に画面を有する液晶表示部２０の前側周縁部及び周側部を覆う矩形枠状のフロントキャビネット３０並びに液晶表示部２０及びフロントキャビネット３０を固定する固定具５０を備え、液晶表示部２０の周側部と対向するフロントキャビネット３０の内面に、フロントキャビネット３０の周方向に沿ってリブ３２１が設けられており、リブ３２１に掛合するスリット状の切り欠き５１１が固定具５０に開設されている液晶表示装置において、固定具５０の位置ずれを防止する防止部５１を備える。
【選択図】図７【図１】
0005550752.tif 000002
【図２】
0005550752.tif 000003
【図３】
0005550752.tif 000004
【図４】
0005550752.tif 000005
【図５】
0005550752.tif 000006
【図６】
0005550752.tif 000007
【図７】
0005550752.tif 000008
【図８】
0005550752.tif 000009
【図９】
0005550752.tif 000010
【図１０】
0005550752.tif 000011
【図１１】
0005550752.tif 000012
【図１２】
0005550752.tif 000013